(57)【要約】      （修正有）【課題】密封した容器を開封するとき、トップシールの外周の一部であるつまみ片を活用し、使用者が誰でもトップシールを剥離することで容易かつ確実に容器の開封ができ、且つ、そのシールを資源ゴミとして廃棄できる開け具を提供する。【解決手段】オープンスリット２が形成された巻き付け軸１に、トップシール４の弾力による巻き戻りを防止する樹脂製又は紙製の筒形リング３を予め配設しておき、巻き付け軸１をＢ方向に回転することでトップシール４を巻き付けて剥離する。剥離の開始時及び剥離中には容器の変形や内容物の飛散がなく、剥離の終わる直前には、筒状に巻き付いたトップシール４に筒形リング３を差し込み、更に、巻き付け軸１を回転すると剥離が終了し、内容物の飛散なく容器を開封する。巻き付け軸１に巻き付いた状態で剥離し終わったトップシール４は、筒形リング３の中で丸まった状態で巻き戻り、巻き付け軸１から筒形リング３と共に離脱して、資源ゴミとして廃棄する。【選択図】図１
0003157987.tif 000002
【実用新案登録請求の範囲】
【請求項１】
密封容器５を開封するため、トップシール４のつまみ片４ａを活用して、密封容器５のフランジ部５ａから剥離するために、内部にバラバラ配列の粗目の刃２ａを付けた構造のオープンスリット２を形成している巻き付け軸１と、トップシール４と共に廃棄するため、予め配設された筒形リング３及び収納筒を有している開け具。
【考案の詳細な説明】
【技術分野】
【０００１】  本考案は、食品や医薬品等の分野において内容物の保存や保護のために、ラミネート構造のトップシールで密封した容器を、使用者が誰でも容易に開封できる開け具に関する。
【背景技術】
【０００２】  密封容器は、内容物の保存や保護のための密封安定化と使用時の開封容易性との兼ね合いを考慮し、設計され、多用されている。その容器のトップシールは、樹脂あるいは紙状のフイルムまたはシートを熱溶着あるいは接着することで、容器のフランジ部に密着させ、フランジ部から突出して設けられたトップシールの外周の一部であるつまみ片を引っ張り上げて、容器から引き剥がすことで容器を開封する。【０００３】  現在、容器の形状や寸法の多様化に伴って、フランジ部の限られたシール幅内で密封の安定化を図るために剥離強度を上げ、また、トレイ状容器のコーナーからの開封開始する時は、剥離する部分の幅が大きくなり、いずれの場合にも、非常に大きな力を必要とする。特に、高齢化に伴って高齢者や身障者及び負傷、疾病等で腕や指の不自由な人など、非力な使用者には開封が困難であるという問題がある。
【先行技術文献】
【特許文献】
【０００４】
【特許文献１】  特許第４２３０９７４号  公報
【特許文献２】  特許第２８３２５１５号  公報
【考案の概要】
【考案が解決しようとする課題】
【０００５】  本考案は、密封した容器の変形や内容物の飛散及び、剥離の幅や強度に無関係に、トップシールの外周の一部であるつまみ片を活用し、使用者の誰でもがトップシールを容易かつ確実に剥離することで、容器の開封ができ、且つ、そのトップシールを資源ゴミとして廃棄できる開け具を提供することである。
【課題を解決するための手段】
【０００６】  上記の課題を達成するための本考案は、オープンスリット２が形成された巻き付け軸１に、トップシール４の弾力による巻き戻りを防止する樹脂製又は紙製の筒形リング３を予め配設しておき、巻き付け軸１を回転することでトップシール４を巻き付けて剥離する。剥離の開始時及び剥離中には容器の変形や内容物の飛散がなく、剥離の終わる直前には、筒状に巻き付いたトップシール４に筒形リング３を差し込み、更に、巻き付け軸１を回転すると剥離が終了し、内容物の飛散なく容器を開封する。巻き付け軸１に巻き付いた状態で剥離し終わったトップシール４は、筒形リング３の中で丸まった状態で巻き戻り、巻き付け軸１から筒形リング３と共に離脱して、資源ゴミとして廃棄する。
【考案の効果】
【０００７】  本考案により、フランジ部５ａに沿って熱溶着または接着されたトップシール４を、その外周の一部であるつまみ片４ａを活用して、巻き付け軸１に巻き付けながら剥離できる。容器５の変形や内容物の飛散もなく、一定の回転力で使用者が誰でも容易かつ確実に容器を開封できる。剥離し終わったトップシール４は、樹脂又は紙製の筒形リング３の中に丸まった状態で巻き戻り、巻き付け軸１からその筒形リング３ごと離脱すれば、資源ゴミとして廃棄できる。
【図面の簡単な説明】
【０００８】
【図１】本考案の一実施例たる開け具の使用様態を示す斜視図である。
【図２】本考案の一実施例たる開け具の斜視図である。
【図３】本考案の一実施例たる開け具の収納状態を示す斜視図である。
【図４】同巻き付け軸の拡大横断Ａ−Ａ矢視図である。
【図５】同巻き付け軸によるトップシールの巻き付け過程の拡大横断面図である。
【図６】一実施例たる密封容器の斜視図である。
【考案を実施するための形態】
【０００９】図１に示すように本考案の開け具は、人畜に対する危険防止及び食品などに多用される密閉容器５の内容物に直接触れながら開封するので、抗塵埃や抗菌効果を勘案して、例えば、予め筒内部がテーパ仕上げの回転筒６を配設しておき、保管のための収納筒７を、回転しながら回転筒６に挿入するなどの方法で、図３のように収納することが好ましい。
【００１０】  巻き付け軸１は、トップシール４の外周の一部であるつまみ片４ａの差し込みや巻き付け時の滑落を防ぐ役割を持ち、且つ、使用者の使い易い開放空間を持つオープンスリット２を形成している。その寸法は、図６に示す容器５のトップシール４の横幅Ｃとつまみ片４ａの幅Ｘ、及びつまみ片４ａの厚さＹ（実態的には０．１ｍｍ〜０．２ｍｍ）に関係する。図２に示すオープンスリットの長さＺは、巻き付けによる開封のためトップシール４の横幅Ｃの半分となり、巻き付け軸の全長は、トップシール４の横幅Ｃに応じて可変すれば、多種類の容器の開封が可能となる。図５の（１）から（４）の様態で、巻き付け軸から滑落しないでつまみ片４ａが巻き付けられ、（５）から（６）の様態を繰り返すことでトップシールが剥離できる。図５（４）のように巻き付け軸１につまみ片４ａを滑落なく巻き付けるには、巻き付け軸１の直径をＤとすると、少なくとも（Ｄ＋πＤ／２＋２）の長さが必要である。実態的に、つまみ片４ａの幅Ｘが８ｍｍから１５ｍｍの範囲にあるので、つまみ片４ａの巻き付き長さは、
８ｍｍ＜（Ｄ＋πＤ／２＋２）＜１５ｍｍ
となり、巻き付け軸１の直径Ｄは、２．３３ｍｍ＜Ｄ＜５．０５ｍｍとなる。
【００１１】  前記の巻き付け軸１の直径Ｄは、つまみ片４ａを巻き付けるのに最低２．３３ｍｍを必要とするが、直径が細すぎて巻き付け軸１の機械的強度が弱くなる。そこで、図４に示すように、バラバラ配列で斜め角度６０°の粗目の刃２ａをオープンスリット２に付けることで、スリット差し込み時につまみ片４ａが滑落せず、巻き付けが可能であることを知見した。
そこで、図４のように軸の断面形状を短径Ｄ、長径Ｆ（軸直径Ｄ＋スリット幅Ｅ）の楕円形状とし、刃２ａを付けることを考慮して、スリット幅Ｅを最大０．３ｍｍでオープンスリット２を形成し、且つ、巻き付け軸中央部分のオープンスリット内部に、バラバラ配列の粗目の刃２ａを付ける構造とした。
【００１２】  上記、巻き付け軸の断面形状を短径Ｄ、長径Ｆ（軸直径Ｄ＋スリット幅Ｅ）の楕円形状とし、刃２ａを付ける構造としたとき、つまみ片４ａの滑落性と巻取確実性について、巻き付け軸の直径Ｄを３ｍｍ、４ｍｍ、４．５ｍｍ、５ｍｍについて、次の評価基準により官能評価した。
評価基準：
つまみ片の滑落：    無、シールの確実巻取：    有・・・・・・３点
つまみ片の滑落：少し有、シールの確実巻取：少し無・・・・・・２点
つまみ片の滑落：    有、シールの確実巻取：    無・・・・・・１点
巻き付け軸の直径Ｄの評価結果を表１に示す。この評価結果から、巻き付け軸の直径Ｄは、３ｍｍから４．５ｍｍが好ましい。一実施例で巻き付け軸の直径Ｄは４ｍｍとした。
【００１３】
【表１】
0003157987.tif 000003
【００１４】図２に示すように、巻き付け軸１の材質は、ステンレス、アルミニウム、セラミック硬質樹脂など、公知のもので適用可能だが、特に、刃を目立てる必要性と直接食品などに触れて開封するので、銅イオンによる食品抗菌効果を考慮すると、良く打ち込んだ肌理の細かい銅製で、しかも経年変化を考慮し、錫メッキ仕上げしたものが好ましい。巻き付け軸１の回転力を得る方法は、電動又は手動いずれでも可能である。
【００１５】  筒形リング３の材質は、資源ゴミとして廃棄することから、プラスチック樹脂又は紙製とする。その形状寸法は、廃棄時に指で摘める範囲の長さとして１０〜２０ｍｍ、巻き付けるトップシール４の長さに関係するが、内径１０ｍｍ以上、厚み１．０ｍｍ以内が好ましい。
【実施例】
【００１６】図３に示すように収納された状態から取り出された本考案の開け具は、図２に示すようにトップシール４を剥離するための巻き付け軸１と、そのシールの弾力による巻き戻りを防止するための樹脂又は紙製の筒形リング３を有する。図１は、図２の本考案の一実施例たる開け具を密封容器５のトップシール４の外周の一部であるつまみ片４ａに差し込んだ使用様態例を示している。【００１７】  上記、巻き付け軸１は、図４に示すように楕円形状であって、巻き付け軸１の長さの半分に、つまみ片４ａの差し込みと滑落を防ぐ役割及び使い易い開放空間で、スリット幅Ｅが最大０．３ｍｍのオープンスリット２を形成している。内部にバラバラ配列の粗目の刃２ａを付けたオープンスリット２に、つまみ片４ａを差し込むと確実な刃２ａによる抵抗によって、つまみ片４ａが巻き付け軸１に係止し、巻き付け軸１を図５のＢ方向に回転すると、トップシール４が巻き付け軸１に巻き付き、容器５のフランジ部５ａから剥離する。剥離の開始時及び剥離中に容器を支えるか否かに関わらず、容器の変形や内容物の飛散は生じない。【００１８】  トップシール４の弾力による巻き戻りを防止するため、樹脂又は紙製の筒形リング３を巻き付け軸１に回転自在及び軸方向移動自在に予め配設しておき、剥離が終る直前に巻き付け軸１を一時停止して、巻き付け軸１に円筒状に巻き付いたトップシールに筒形リング３を差し込み、更に、巻き付け軸１を図５のＢ方向に回転して剥離が終れば、内容物の飛散なく容器５が開封する。【００１９】  巻き付け軸１に巻き付いたトップシール４は、剥離が終れば筒形リング３の中で巻き戻り、筒形リング３ごと巻き付け軸１から離脱して資源ゴミとして廃棄する。
【符号の説明】
【００２０】１  巻き付け軸
２  オープンスリット
２ａ  刃
３  筒形リング
４  トップシール（被開封部材）
４ａ  つまみ片
５  容器
５ａ  フランジ部
５ｂ  熱溶着（接着）部
６  回転筒
７  収納筒
【図１】
0003157987.tif 000004
【図２】
0003157987.tif 000005
【図３】
0003157987.tif 000006
【図４】
0003157987.tif 000007
【図５】
0003157987.tif 000008
【図６】
0003157987.tif 000009